(57)【要約】【課題】放射性廃棄物投入装置の高さを従来よりも低くすることができる溶融炉への廃棄物投入装置を提供する。【解決手段】溶融炉投入ダンパ４ａよりも下方に、廃棄物投入容器２の搬送コンベア３を配置する。移送装置のチャック機構７を旋回および昇降動自在とし、廃棄物投入容器２を搬送コンベア３上からチャックして持ち上げたうえ、旋回させて溶融炉投入ダンパ４ａ上まで移動させ、炉内に投入する。従来よりも溶融炉投入ダンパ４ａの上方に必要な高さを低くすることができる。【選択図】  図１
2004294307.tif 000002
【特許請求の範囲】
【請求項１】
廃棄物投入容器を搬送コンベアから溶融炉投入ダンパまで移動させる移送装置のチャック機構を旋回および昇降動自在とし、該チャック機構の旋回軌跡上に、溶融炉投入ダンパ中心と搬送コンベアの廃棄物投入容器停止位置とを配置するとともに、該溶融炉投入ダンパより下方に搬送コンベアを配置したことを特徴とする溶融炉への放射性廃棄物投入装置。
【請求項２】
放射性廃棄物の投入時に溶融炉投入ダンパを密封するスライド自在なシール筒を、チャック機構に設けたことを特徴とする請求項１に記載の溶融炉への放射性廃棄物投入装置。
【発明の詳細な説明】
【０００１】
【発明の属する技術分野】本発明は、放射性雑固体廃棄物を収容した廃棄物投入容器を搬送コンベアから溶融炉上部のダンパまで移動させたうえ、放射性雑固体廃棄物を溶融炉内に投入する溶融炉への放射性廃棄物投入装置に関するものである。
【０００２】
【従来の技術】原子力発電所等から発生する金属、保温材やコンクリートのような放射性雑固体廃棄物の処分方法のひとつとして、溶融固化処理方法がある。この処理法は溶融炉内で導電性セラミック製のキャニスタを誘導加熱により１４５０〜１５５０℃に加熱し、放射性雑固体廃棄物を溶融したうえガラス状に固化させる方法である。
【０００３】このような溶融炉内のキャニスタへ放射性雑固体廃棄物を投入するために、溶融炉の上部に開閉できるダンパを設けるとともに、開閉可能な底蓋を持つ廃棄物投入容器をこのダンパから溶融炉の内部まで降下させ投入する放射性廃棄物投入装置が用いられている。特許文献１には、廃棄物投入容器を溶融炉の直上位置まで走行台車により移動させた後、昇降装置で廃棄物投入容器をチャックして走行台車から持ち上げ、走行台車を溶融炉の直上位置から戻した後、溶融炉投入ダンパを開いて廃棄物投入容器を炉内に下降させ、その底蓋を開放して放射性雑固体廃棄物をキャニスタに投入する装置が記載されている。
【０００４】ところがこのような従来の放射性廃棄物投入装置は、廃棄物投入容器をチャックして走行台車から一旦上昇させる分だけ、放射性廃棄物投入装置の全高が高くなるという問題があった。すなわち、溶融炉上部のダンパよりも上方に、少なくとも（走行台車の高さ）＋（廃棄物投入容器の高さ）＋（廃棄物投入容器上昇分の高さ）が必要となる。そのため当然建屋も高くしなければならず、建設コストが高くなるという問題があった。また装置を直線的なレイアウトとしなければならないのでレイアウト上の制約を受け易いという問題があった。
【０００５】
【特許文献１】特公平８−３５５７号公報
【０００６】
【発明が解決しようとする課題】本発明は上記したような従来の問題点を解消して、放射性廃棄物投入装置の高さを従来よりも低くすることができ、またレイアウトの自由度を高めることができる溶融炉への廃棄物投入装置を提供することを目的とするものである。
【０００７】
【課題を解決するための手段】前述の課題を達成するためになされた本発明は、廃棄物投入容器を搬送コンベアから溶融炉投入ダンパまで移動させる移送装置のチャック機構を旋回および昇降動自在とし、該チャック機構の旋回軌跡上に、溶融炉投入ダンパ中心と搬送コンベアの廃棄物投入容器停止位置とを配置するとともに、該溶融炉投入ダンパより下方に搬送コンベアを配置したことを特徴とするものである。なお、放射性廃棄物の投入時に溶融炉投入ダンパを密封するスライド自在なシール筒を、チャック機構に設けた構造とすることが好ましい。
【０００８】
【発明の実施の形態】以下に本発明の好ましい実施の形態を図１〜４に基づいて詳細に説明する。
図１において、１は放射性雑固体廃棄物を収容した廃棄物投入容器２を搬送コンベア３から溶融炉４の溶融炉投入ダンパ４ａまで移動させるとともに溶融炉４内に装入する移送装置である。移送装置１はベースに軸支立設される回動自在なガイド筒５と、該ガイド筒５に取り付けられて昇降動自在としたブラケット６と、該ブラケット６に取り付けられるチャック機構７とからなるものである。
【０００９】チャック機構７は昇降装置８と前記ガイド筒５を回転させる図示されない回転装置とにより昇降と旋回動が行なわれるようになっており、廃棄物投入容器２の上部をチャックできる構造となっている。またチャック機構７はブラケット６に取り付けられる筒体７ａと該筒体７ａの先端に取り付けられるチャックとよりなり、この実施形態ではチャック機構７は４５°の角度範囲で往復旋回可能となっている。
【００１０】本発明では、チャック機構７の旋回軌跡上に溶融炉投入ダンパ４ａの中心と、搬送コンベア３の廃棄物投入容器停止位置とが配置されるようになっている。さらに搬送コンベア３は溶融炉投入ダンパ４ａより下方に配置されており、廃棄物投入容器２は従来のような走行台車によらず図示の停止位置まで搬送されてくるようになっている。また前記廃棄物投入容器２は嘴状の底蓋２ａを開閉自在として、収容した廃棄物を底部より溶融炉４内のキャニスタに投入できるようになっている。
【００１１】なお、前記チャック機構７の昇降機構８は駆動部８ａと該駆動部８ａにより巻き上げと巻き戻しが行なわれる図示されないチェンスプロケットと該チェンスプロケットに巻き掛けられるチェンとからなり、該チェンにブラケット６が取り付けられた構造となっている。これにより廃棄物投入容器２を搬送コンベア３から持ち上げるとともに、廃棄物投入容器２を溶融炉４内に降下させることができるようになっている。
【００１２】１０はチャック機構７の筒体７ａに被套されるシール筒である。シール筒１０は溶融炉４に放射性廃棄物を投入する際、図４に示されるように先端開口を当接させて溶融炉投入ダンパ４ａを塞ぎ、放射性雑固体廃棄物を投入する際に粉塵等が外部に漏れることがないようにしている。またシール筒１０の上部内周面には筒体７ａと密接するシール部材が取り付けられて筒体７ａとシール筒１０間を密封している。さらにシール筒１０はガイド筒５に昇降動自在にブラケット８を介して取り付けられている。
【００１３】また前記シール筒１０は図示しない昇降機構により昇降されるものであり、該昇降機構はシール筒１０を取り付けるブラケット８を昇降動させるシリンダよりなる。１２は廃棄物投入容器２の受け台であり、該受け台１２は底蓋を先尖り形状とした廃棄物投入容器２を立設させて搬送するため搬送コンベア３上で移動できるようになっている。
【００１４】本発明の放射性廃棄物投入装置の作動は以下のとおりである。先ず、搬送コンベア３により搬送されてくる廃棄物投入容器２を搬送コンベア３の終端停止位置で停止させ、移送装置１のチャック機構７を廃棄物投入容器２の上方に位置させる。
【００１５】次に、昇降装置８を作動させて廃棄物投入容器２をチャックできる位置までチャック機構７を下降させる。そしてチャック機構７が廃棄物投入容器２をチャックできる位置に達したら、図１に示されるように昇降装置８を停止させて廃棄物投入容器２の上部をチャックによりチャックする。
【００１６】移送装置１のチャック機構７により廃棄物投入容器２をチャックしたら、図２に示されるように昇降装置８を上昇させて廃棄物投入容器２を受け台１２より抜き出すとともに、搬送コンベア３より上方位置にある溶融炉投入ダンパ４ａに廃棄物投入容器２の底蓋がぶつからない位置まで上昇させる。そして所定高さまで廃棄物投入容器２が上昇されたらチャック機構７を所定角度回転させ、廃棄物投入容器２を図３に示されるように溶融炉投入ダンパ４ａ上に位置させる。
【００１７】廃棄物投入容器２が溶融炉投入ダンパ４ａ上に位置した状態で、ガイド筒５の昇降装置８を作動させてチャック機構７にチャックされた廃棄物投入容器２を溶融炉４内に所定距離降下させる。これと同時にシール筒１０の昇降機構を作動してチャック機構７の筒体７ａを被套しているシール筒１０を下降させ、図４に示されるようにシール筒１０の下端を溶融炉投入ダンパ４ａの縁に当接させる。そして廃棄物投入容器２の底蓋を開放し、放射性雑固体廃棄物を溶融炉内の１３００〜１６００℃に加熱されているキャニスタ内に投入する。
【００１８】投入完了後、廃棄物投入容器２の底蓋を閉じたうえ、昇降機構８を作動させてチャック機構７を上昇させる。廃棄物投入容器２が溶融炉投入ダンパ４ａから抜き出されたら、回転装置を作動させてガイド筒５を回動させ、チャック機構７を旋回させて搬送コンベア３の受け台１２上方に移動させる。その後昇降機構８を作動させてチャック機構７を下降させ、空の廃棄物投入容器２を受け台１２に載置立設させる。受け台１２に廃棄物投入容器２が載置されたら搬送コンベア３を逆動作させて空の廃棄物投入容器２を旧状に復帰させ、別の廃棄物投入容器２を受け台１２に載置させて前記と同様溶融処理工程へ搬送する。
【００１９】このように本発明では溶融炉投入ダンパ４ａより下方に搬送コンベア３を設置し、旋回および昇降動自在なチャック機構７により搬送コンベア３上から廃棄物投入容器２を持ち上げて溶融炉投入ダンパ４ａ上まで旋回させ、炉内に降下させるようにしたものである。このため、従来は溶融炉投入ダンパ４ａの上方に（走行台車の高さ）＋（廃棄物投入容器の高さ）＋（廃棄物投入容器上昇分の高さ）が必要であったのに対して、本発明では溶融炉投入ダンパ４ａの上方に（廃棄物投入容器の高さ）を必要とするのみである。このため投入装置の高さを従来よりも低くすることができ、建屋も低くすることができる。
【００２０】
【発明の効果】本発明は前記説明によって明らかなように、従来よりも移送装置の高さを低くすることができ、建屋の高さを抑えることができるので経済的である。また移送装置を水平方向と垂直方向に移動できるようにしたので、装置レイアウトの自由度を大幅に高めることができる。従って、本発明は従来の問題点を解消した溶融炉への放射性廃棄物投入装置として、業界の発展に寄与するところ極めて大なものである。
【図面の簡単な説明】
【図１】廃棄物投入容器をチャックした状態を示す斜視図である。
【図２】廃棄物投入容器を上昇させた状態を示す斜視図である。
【図３】廃棄物投入容器を溶融炉投入ダンパまで旋回移動させた状態を示す斜視図である。
【図４】廃棄物投入容器を溶融炉内に降下させるとともにシール筒により溶融炉投入ダンパを密封した状態を示す斜視図である。
【符号の説明】
１  移送装置、２  廃棄物投入容器、２ａ  底蓋、３  搬送コンベア、４  溶融炉、４ａ  溶融炉投入ダンパ、５  ガイド筒、６  ブラケット、７  チャック機構、７ａ  筒体，８  昇降機構、８ａ  駆動部、１２  シール筒
【図１】
2004294307.tif 000003
【図２】
2004294307.tif 000004
【図３】
2004294307.tif 000005
【図４】
2004294307.tif 000006